(57)【特許請求の範囲】
【請求項１】
板状の弾性体を折り曲げることにより形成される一対の挟持片（２，２）と、前記挟持片（２，２）を連結する連結片（３）と、各挟持片（２，２）の先端縁から各々の挟持片に沿って隙間（８，８）を保って外側へ折り返してなる補助片（４，４）と、前記挟持片を開閉するための一対のレバー（５，５）と、前記隙間（８，８）には各レバー（５，５）を支える軸部（６，６）とを備え、各レバー（５，５）は、略楕円形状の環体であって、該環体内に収まる軸部（６，６）を支点として前記挟持片の開閉操作をする起立位置と該起立位置から略９０度回動した倒れた位置とを移動可能であると共に、倒れた位置では隙間（８，８）外に露出している各レバー（５，５）を隙間（８，８）内に軸部（６，６）をガイドとして収納方向にスライド移動でき、隙間（８，８）の幅が各レバー（５，５）の太さと略一致しており、当該隙間（８，８）内には一対のレバー（５，５）を開閉操作する位置で位置決めするための突条（７，７）である回動規制手段（７，７）を隙間（８，８）内への各レバー（５，５）の収納時に当該レバー（５，５）と交差するように設けてあることを特徴とするクリップ。
【発明の詳細な説明】
【技術分野】
【０００１】  この発明は書類等を挟持するクリップに関するものである。
【背景技術】
【０００２】  書類をまとめる場合には、ダブルクリップと称されるクリップが広く用いられている。従来の一般的なダブルクリップは、板状の弾性体を折り曲げて形成された一対の挟持片と、これらを連結する連結片と、挟持片先端縁に回動自在に取り付けられた一対のレバーとで構成されており、クリップの開閉や書類を捲る場合にはレバーをクリップ後方に倒し、書類を保管する場合は、レバーを前に倒して使用する。【０００３】  しかしながら、前記ダブルクリップには、綴った書類を捲る際に、レバーが邪魔となる問題点があった。  さらには、綴った書類の閲覧時や保管時、またはクリップの開閉時の各時点に応じてレバーを前後に倒す操作を行わなければならないといった煩わしさがあった。【０００４】  これらの問題点を解消するため、挟持片表面に沿って回動するレバーを設けたダブルクリップが発明され、その結果、書類が捲りやすくなり、書類の閲覧時や保管時のレバー操作の煩わしさも解消された（例えば、特許文献１、特許文献２、特許文献３）。しかしながら上記発明においても、レバーもしくはその結合部は外面に露出しており、コンパクトさが無く、その露出しているレバー等の部分に物が引っ掛かったりする問題点があった。
【先行技術文献】
【特許文献】
【０００５】
【特許文献１】特開平８−７２４５３
【特許文献２】特開平１０−３１５６７３
【特許文献３】実公昭６０−１８９５０
【発明の概要】
【発明が解決しようとする課題】
【０００６】  そこで本発明は、上記の問題点を解決するためになされたものであり、コンパクトで、使い勝手及び外観上体裁が良く、レバーが収納時に容易に動かないクリップを提供することを目的とする。
【課題を解決するための手段】
【０００７】  上記目的を達成するために、本発明は、板状の弾性体を折り曲げることにより形成される一対の挟持片と、前記挟持片を連結する連結片と、各挟持片の先端縁から各々の挟持片に沿って隙間を保って外側へ折り返してなる補助片と、前記挟持片を開閉するための一対のレバーと、前記隙間には各レバーを支える軸部とを備え、各レバーは、略楕円形状の環体であって、該環体内に収まる軸部を支点として前記挟持片の開閉操作をする起立位置と該起立位置から略９０度回動した倒れた位置とを移動可能であると共に、倒れた位置では隙間外に露出している各レバーを隙間内に軸部をガイドとして収納方向にスライド移動できることを特徴とする。軸部は挟持片内面又は補助片内面に、直接加工で設けても良いし、別部材を固着して設けても良い。このように構成すると、クリップの不使用時に、各レバーを起立位置から略９０度回動した倒れた位置に移動させ、隙間外に露出している各レバーを、軸部をガイドとして収納方向にスライド移動させると、各レバーを隙間内に収納することができる。これにより、回動操作時に摘むためのレバーの一部を除き、レバーが外部に露出することがない。【０００９】  本発明においては、レバーの開閉操作する位置で回動規手段ともなる、収納したレバーと交差するように突条を設けることにより、隙間の幅が各レバーの太さと略一致していることから、レバーが収納されたときには、レバーを隙間内で強く押圧して収納状態を安定させることができる。このように構成すると、レバーは開閉操作する位置にて停止するため、レバー開閉操作が容易に可能ともなる。当該突条は、挟持片内面又は補助片内面に設ければ良く、それを設ける手段としては、直接加工しても良いし、又は別部材を接合しても良い。また、各レバーに対して一個だけでも良いが、複数個設けても良い。
【発明の効果】
【００１０】  以上の説明から明らかなように、本発明にあっては次の効果がえられる。挟持片と補助片との隙間に軸部を設け、回動操作によりレバーを前記隙間内に収納できるように構成することによって、クリップ不使用時には少なくとも一部を除きレバーを外側に露出しないようにしたので、書類の保管時や書類を捲る際にはレバーが邪魔になることはなく、非常に使い勝手が良く、しかも、レバーは外部からの衝撃を受け難く丈夫な構造であり、外観的にも体裁の良いクリップを供給できるものである。さらに、レバーの収納時に当該レバーは隙間内で強く押圧され収納状態が安定し、衝撃等により不意にレバーが回動して外に出ることがない。
【図面の簡単な説明】
【００１１】
【図１】本発明のクリップの実施例１を示す斜視図である。
【図２】図１において、クリップ開閉使用時の正面図である。
【図３】図１において、レバー収納時の正面図である。
【図４】図２のＡーＡ線における断面図である。
【発明を実施するための形態】
【００１２】  以下、本発明の実施の形態について、図面に基づいて詳細に説明する。
【実施例】
【００１３】  図１に斜視図を、図２はクリップ開閉時の正面図を、図３はレバー収納時の正面図、図４に断面図を示す。クリップ本体１は板状の弾性体のより形成され、一対の挟持片２，２と、これら狭持片２，２を連結且つ一対の挟持片２，２を挟む方向に付勢する連結片３と、各挟持片の先端縁より各々の挟持片に沿って隙間８，８を保つよう外側に折り返してなる補助片４，４とを備えている。【００１４】  前記一対の挟持片２，２の内面に、各隙間内に突出する軸部６，６を、プレス加工を施すことにより直接形成し、各軸部６には、クリップ本体１を開閉操作するためのレバー５，５が回動またはスライド操作可能に軸支されている。レバー５，５は、クリップ本体１の横幅よりも長い略楕円形状の環体に形成してある。さらに、挟持片２，２の内面には回動規制手段として、隙間側に突出する線上の突状７，７が、収納時のレバー５に略直交する形で、軸部６の左右位置にプレス加工により直接形成してある。なお、隙間８の幅はレバー５の厚さ（太さ）と略一致するよう形成する。【００１５】  以上のように構成された本発明に係るクリップは、レバー５，５を隙間８，８に安定的に収納でき、開閉操作も容易であり、回動操作も安定して行うことができる。以下に本発明に係るクリップの具体的な使用方法を説明する。【００１６】  クリップ本体１の開閉は、まず、レバー５，５を図２に示す起立位置に回動させる。この回動の際、レバー５，５が一方の突条７を乗り越えて前記位置に達すると、レバー５，５は一対の突条７、７に挟み込まれて位置決めされる。次に位置決めされたレバー５，５の端部を摘み込むと、梃の原理によりクリップ本体１が開閉し、クリップ本体１を書類へ挟み込みこんだり、書類から抜き取ったりすることができる。この際、レバー５，５が位置決めされているため、安定してレバー５、５を摘み込むことができる。【００１７】  レバー５、５の収納方法は、図３に示す様に、レバー５，５を起立位置から略９０度回動した倒れた位置に移動させた後、軸部６、６をガイドとしてレバー５，５をスライド移動すれば隙間８，８に収納できる。収納された各レバー５は、補助片４と一対の突条７，７に強く押圧されているため収納状態が安定し、衝撃等により不意にレバー５，５が回動して外に出ることがない。【００１８】  本発明に係るクリップの使用形態は、通常はレバー５，５を隙間８，８に収納しておき、クリップ本体１の開閉時のみレバー５，５を回動させれば良い。このようにすると、書類を捲る際にレバー５，５が邪魔にならず、また頻繁にレバー操作をする必要もないので、非常に使い勝手が良い。また、レバー５，５を隙間８，８に収納したことにより、レバー５，５は外部の衝撃から保護され、外観的にもクリップの体裁が良くなる。さらに、クリップ自体をケース等に収納する場合にも、嵩張らない。
【産業上の利用可能性】
【００１９】  本発明は、クリップを製造する産業で利用される。
【符号の説明】
【００２０】    １  クリップ本体    ２  挟持片    ３  連結片    ４  補助片    ５  レバー    ６  軸部    ７  突条（回動規制手段）    ８  隙間
【図１】
0005048734.tif 000002
【図２】
0005048734.tif 000003
【図３】
0005048734.tif 000004
【図４】
0005048734.tif 000005